(57)【要約】【課題】低コストでかつユーザに不快感を与えず、また、受信環境が変化しても再度チャンネルスキャンを実施することなくサービスリストを更新できる「放送受信機および放送受信機でのサービスリスト作成方法」を提供する。【解決手段】シーク制御部３３が受信可能な１のチャンネルを選局して自動で受信を行うと、リスト更新部３４は、リスト作成部３１がある受信地点で全受信可能チャンネルをスキャンして作成し一時記憶部３２に格納しておいたサービスリストと、シーク制御部３３により選局したチャンネルとを比較し、サービスリストにその選局したチャンネルが含まれていない場合にはサービスリストを更新するようにして、複数のサービスリストを持たなくともよくし、かつ、ユーザの意思でチャンネルが変更されるときに短時間でリストを更新して不快感を与えないサービスリストの更新ができるようにする。【選択図】        図２
2008099028.tif 000002
【特許請求の範囲】
【請求項１】
受信地点における全受信可能チャンネルをスキャンし、サービスリストを作成するリスト作成部と、
受信可能な１のチャンネルを選局し、該選局したチャンネルの受信を自動で行うシーク制御部と、
上記シーク制御部での選局結果に応じて、上記サービスリストを更新するリスト更新部とを備えたことを特徴とする放送受信機。
【請求項２】
上記リスト更新部は、上記シーク制御部での選局結果と上記サービスリストとを比較し、上記シーク制御部で選局したチャンネルが上記サービスリストに無いと判断した場合に、上記サービスリストに上記シーク制御部が選局したチャンネルを追加することを特徴とする請求項１に記載の放送受信機。
【請求項３】
上記リスト更新部は、上記シーク制御部での選局結果と上記サービスリストとを比較し、上記シーク制御部にて選局できなかったチャンネルが上記サービスリスト上にあると判断した場合には、上記サービスリストから上記選局できなかったチャンネルを削除することを特徴とする請求項１に記載の放送受信機。
【請求項４】
上記サービスリストを画面上に表示する際に、上記リスト更新部が上記サービスリストを更新することにより変更となったチャンネルを、他のチャンネルと表示態様を異ならせて表示する表示制御部を備えたことを特徴とする請求項１に記載の放送受信機。
【請求項５】
上記サービスリストから所定のチャンネルが選択されたときに該チャンネルの受信感度が所定レベル以下であるか否か判断する受信感度判断部と、
上記受信感度判断部が上記チャンネルの受信感度が所定レベル以下であると判断した場合、上記シーク制御部によるシークの実行を勧める案内を報知する報知部とを備えたことを特徴とする請求項１に記載の放送受信機。
【請求項６】
上記サービスリストから所定のチャンネルが選択されたときに該チャンネルの受信感度が所定レベル以下であるか否か判断する受信感度判断部を備え、
上記受信感度判断部が上記チャンネルの受信感度が所定レベル以下であると判断した場合、上記シーク制御部は受信可能な１のチャンネルの選局を開始することを特徴とする請求項１に記載の放送受信機。
【請求項７】
複数の受信可能なチャンネルが割り当てられたプリセットボタンのいずれかが押下されたとき、押下されたプリセットボタンに割り当てられたチャンネルの受信感度が所定レベル以下であるか否か判断する受信感度判断部と、
上記受信感度判断部が上記チャンネルの受信感度が所定レベル以下であると判断した場合、上記シーク制御部によるシークの実行を勧める案内を報知する報知部とを備えたことを特徴とする請求項１に記載の放送受信機。
【請求項８】
複数の受信可能なチャンネルが割り当てられたプリセットボタンのいずれかが押下されたとき、押下されたプリセットボタンに割り当てられたチャンネルの受信感度が所定レベル以下であるか否か判断する受信感度判断部と、
上記受信感度判断部が上記チャンネルの受信感度が所定レベル以下であると判断した場合、上記シーク制御部は受信可能な１のチャンネルの選局を開始することを特徴とする請求項１に記載の放送受信機。
【請求項９】
上記リスト更新部にて上記シーク制御部での選局結果と上記サービスリストとを比較し、新たに選局可能または新たに選局不可能になったチャンネルがあると判断されるまで、上記シーク制御部は選局可能なチャンネルの選局を繰り返すことを特徴とする請求項１に記載の放送受信機。
【請求項１０】
地図データに設定した複数の受信エリアの情報を受信エリアテーブルとして格納する受信エリア記憶部と、
車両の現在位置を検出する車両位置検出部と、
上記車両位置検出部により検出された車両位置が、ある受信エリアから他の受信エリアへ移動したか否か上記受信エリア記憶部の受信エリアテーブルを用いて判断するエリア判断部と、
上記エリア判断部により他の受信エリアへ車両位置が移動したと判断された場合に、上記シーク制御部によるシークの実行を勧める案内を報知する報知部とを備えたことを特徴とする請求項１に記載の放送受信機。
【請求項１１】
受信可能なチャンネルをリモコンキーに割り当てるリモコン制御部を備え、
上記リスト更新部にて上記サービスリストを更新する際に、上記リモコン制御部にて上記リモコンキーに対するチャンネルの割り当てを変更することを特徴とする請求項１に記載の放送受信機。
【請求項１２】
受信可能な１のチャンネルを選局し、該選局したチャンネルの受信を自動で行う第１のステップと、
上記第１のステップでの選局結果に応じて、ある受信地点における全受信可能チャンネルをスキャンして作成したサービスリストを更新する第２のステップとを備えたことを特徴とする放送受信機でのサービスリスト作成方法。
【発明の詳細な説明】
【技術分野】
【０００１】
本発明は、放送受信機および放送受信機でのサービスリスト作成方法に関し、特に、受信地点における全曲受信可能チャンネルをスキャンし、受信可能なチャンネルのリストを作成する機能を備えた放送受信機に用いて好適なものである。
【背景技術】
【０００２】
地上デジタル放送受信機においての選局手段として、受信地点における全曲受信可能チャンネルをスキャンし、受信可能なチャンネルのリストを表すサービスリスト（受信可能周波数テーブル）を作成する方法がある。ユーザはこのサービスリストから所望の放送サービスを選択することにより、番組を視聴できる。この方法は、固定受信機の基本機能として広く使われている。
【０００３】
ここで、チャンネルスキャンとは、ＵＨＦの１３チャンネル（受信周波数４７３ＭＨＺ）から６２チャンネル（受信周波数７６７ＭＨＺ）までの受信周波数を１チャンネルずつ切り替えながら、各チャンネルが受信可能であるか否かを自動的に調べる方法である。受信可能であるか否かは、そのチャンネルの受信周波数に設定したときのＢＥＲ値（Bit Error Rate）を計測することで判断する。受信可能であるときには、そのチャンネルのＮＩＴ（Network Information Table）を取得し、サービスリストを作成する。この際、ＮＩＴに含まれるネットワークＩＤ（放送局の識別を表すＩＤ）の重複を調べることで同じ放送が存在していないかを調べ、重複している場合には、ＢＥＲ値の良好なチャンネルをサービスリストに記憶する。また、ＮＩＴに含まれるリモコンＩＤ（リモコンのボタンにどのチャンネルを割り当てるかを示すＩＤ）を抽出し、リモコンキーに割り当てる。
【０００４】
しかしながら、車載用や携帯用等の受信機の場合には、電波の受信状態が頻繁に変わることが予想され、スキャン時点でのサービスリストに含まれるチャンネルが受信できなくなることがある。この場合、再度チャンネルスキャンを実施しなければならないが、１３チャンネルから６２チャンネルまでの全てのチャンネルについて、上述した処理を行わなければならないので、サービスリストの更新に時間がかかってしまうという問題があった。
【０００５】
また、放送受信機には、チャンネルスキャンとは別にシーク機能を有するものもある。このシーク機能は、ユーザの操作により受信可能な１のチャンネルを選局し、選局したチャンネルの受信を自動で行う。このシーク機能を用いれば短時間で確実にサービスを受信することができる。しかしながら、シーク機能ではサービスリストを作成しないため、実際に受信して視聴してみないと番組内容が把握できないという問題がある。
【０００６】
このような問題に対して、サービスリストをエリア（例えば、県別、国別など）毎に複数持たせることがある。この場合、あらかじめ割り当てたいくつかのチャンネル（例えば、７つ）について放送信号の受信が可能であるか否かをチェックし、受信できないチャンネルが所定数以上ある場合には、他のサービスリストを選択するようになされた技術が提供されている（例えば、特許文献１参照）。
【特許文献１】特開２００２−１７６５９１号公報
【０００７】
また、チャンネル１つずつ、または複数のチャンネルについて受信可能か否かを定期的に調べ、サービスリストの更新を行う技術も存在する（例えば、特許文献２参照）。
【特許文献２】特開２００５−２７７９９７号公報
【０００８】
しかしながら、特許文献１に記載の技術によれば、サービスリストをエリアごとに複数持たせることが必要であるため大きなメモリ容量が必要となり、コスト高となってしまう。また、特許文献２に記載の技術では、サービスリストの更新を行うためにチャンネルのスキャンを行う必要があるので、このチャンネルのスキャン中はユーザの意思に関係なく視聴中の番組が見られなくなってしまい、ユーザに不快感を与えてしまうという問題がある。
【発明の開示】
【発明が解決しようとする課題】
【０００９】
本発明は、このような問題を解決するために成されたものであり、低コストでかつユーザに不快感を与えず、受信環境が変化しても再度チャンネルスキャンを実施することなくサービスリストを更新できるようにすることを目的とする。
【課題を解決するための手段】
【００１０】
上記した課題を解決するために、本発明は、リスト作成部が受信地点における全受信可能チャンネルをスキャンしてサービスリストを作成しておき、シーク制御部が受信可能な１のチャンネルを選局して自動で受信を行うと、リスト更新部はシーク制御部での選局結果に応じて、サービスリストを更新するようにする。
【発明の効果】
【００１１】
上記のように構成した本発明によれば、サービスリストを複数持つ必要がないため大きなメモリ容量を必要とせず、コストを抑えることができる。また、チャンネルを変更したいというユーザの意思でシークの実行を行ったときにサービスリストが更新されるため、ユーザに不快感を与えることなくサービスリストの更新を行うことが可能となる。また、シークの結果を利用してサービスリストが更新されるので、全受信可能チャンネルを全てスキャンするために長い時間をかけてサービスリストを更新しなくともよくなる。
【発明を実施するための最良の形態】
【００１２】
（第１の実施形態）
以下、本発明の第１の実施形態を図面に基づいて説明する。図１は、第１の実施形態による放送受信機１０の構成例を示す図である。図１に示すように、本実施形態による放送受信機１０は、アンテナ１１、チューナ１２、デコーダ１３、音声処理部１４、アンプ１５、スピーカ１６、映像処理部１７、データ処理部１８、表示制御部１９、表示部２０、操作部２１およびコントローラ３０を備えて構成されている。
【００１３】
チューナ１２は、アンテナ１１によって受信した地上波ディジタル放送の電波から、操作部２１からの選局指示によって選ばれたチャンネルに合致した受信周波数の放送信号を選択的に抽出して出力する。      
【００１４】
デコーダ１３は、チューナ１２により選局されたチャンネルの放送信号から画像データ、音声データ、付随データの変調成分を分離して復調し、その結果得られる音声データを音声処理部１４に出力し、画像データを映像処理部１７に出力し、付随データをデータ処理部１８に出力する。音声処理部１４は、デコーダ１３から出力された音声データをアナログ音声信号に変換する。このアナログ音声信号は、アンプ１５によって増幅され、スピーカ１６から出力される。
【００１５】
映像処理部１７は、デコーダ１３から出力される画像データをアナログ映像信号に変換する。このアナログ映像信号によって表示制御部１９が現在放送中の番組を表示部２０に表示する。データ処理部１８は、デコーダ１３から出力された現在放送中の番組の付随データを表示制御部１９に供給し、例えば、放送局名、曲名、アーティスト名等の情報を音声または映像と同時に表示部２０に表示させる。また、この付随データはコントローラ３０にも供給され、後述のサービスリストを作成する際に用いられる。
【００１６】
操作部２１は、ユーザからのチャンネル（受信周波数）の切り替え操作やボリューム操作等、その他の操作を受け付けるものである。操作部２１には、後述のチャンネルスキャンを行うためのスキャンボタン、シークを行うためのシークボタン等、各種ボタンが備えられている。
【００１７】
コントローラ３０は、放送受信機１０の全体を制御する。このコントローラ３０は、例えば、ＣＰＵ（Central Processing Unit）、ＲＯＭ（Read Only Memory）およびＲＡＭ（random-access memory）から成るマイクロコンピュータにより構成されている。ＲＯＭには、放送受信機１０を制御するための各種プログラムが記憶されている。ＣＰＵは、ＲＯＭに記憶されている各種プログラムに従って、ＲＡＭをワークメモリとして使用しながら各種の制御を実行する。
【００１８】
図２は、コントローラ３０が有する機能構成例を示すブロック図である。図２に示すように、第１の実施形態のコントローラ３０は、その機能構成として、リスト作成部３１、一時記憶部３２、シーク制御部３３およびリスト更新部３４を備えている。
【００１９】
リスト作成部３１は、受信地点における全受信可能チャンネルをスキャンし、サービスリストを作成する。操作部２１のスキャンボタンによりチャンネルスキャンの実行が指示されると、リスト作成部３１は、チューナ１２においてＵＨＦの１３チャンネル（受信周波数４７３ＭＨＺ）から６２チャンネル（受信周波数７６７ＭＨＺ）までを１チャンネルずつ受信周波数を切り替えるように制御しながら、各チャンネルが受信可能であるか否かを自動的に調べ、受信可能チャンネルの一覧であるサービスリストを作成する。受信可能であるか否かは、例えばそのチャンネルの受信周波数に設定したときのＢＥＲ値を計測し、ＢＥＲ値が所定値以上か否かで判断する。作成されたサービスリストの情報は一時記憶部３２に格納される。表示制御部１９は、一時記憶部３２から読み出されるサービスリストの情報に基づいて、サービスリストを表示部２０に表示する。
【００２０】
ここで、図３はサービスリストの表示画面例を示す図である。サービスリストは、リスト作成部３１により受信可能とされた各チャンネルの付随データを用いて作成されるものであり、例えば図３に示すように、受信可能なチャンネルのチャンネル番号１０１（物理チャンネル）、論理チャンネル番号１０２（物理チャンネルに含まれる複数のサービスのうち、何れのサービスであるかを示す）、放送局名１０３等が表示される。リスト作成部３１は、物理チャンネル毎ではなく、物理チャンネルに含まれる複数の論理チャンネル（例えば、テレビ放送、ラジオ放送、番組情報等）毎にリストアップしてサービスリストを作成する。なお、リスト作成部３１では、論理チャンネルの全てをサービスリストに加えることも可能であるし、その一部（例えば、番組情報）を加えないでサービスリストを作成することも可能である。
【００２１】
１０４は選択ボタンであり、この選択ボタン１０４を押下することで所望のチャンネルを選択することが可能である。１０５はページ切替ボタンであり、このページ切替ボタン１０５の押下により、現在表示されていない次のページまたは前のページのサービスリストに切り替えて表示することができる。１０６は決定ボタンであり、この決定ボタン１０６を押下することで、選択ボタン１０４にて選択したチャンネルの受信指示をすることができる。１０７は戻るボタンであり、サービスリストの表示をキャンセルすることができる。
【００２２】
図２に戻り、シーク制御部３３は、受信可能な１のチャンネルを選局し、選局したチャンネルの受信を自動で行う。操作部２１のシークボタンによりシークの実行が指示されると、現在受信中のチャンネルから１チャンネルずつ受信周波数を切り替えるように制御しながら、各チャンネルが受信可能であるか否かを自動的に調べ、最初に検出した受信可能なチャンネルを選択して動作を停止する。受信可能であるか否かは、例えばそのチャンネルの受信周波数に設定したときのＢＥＲ値を計測することで判断する。受信可能なチャンネルを検出すると、シーク制御部３３はチューナ１２に対してそのチャンネルを受信するよう指示する。
【００２３】
ここで、図４はシーク機能の動作例を説明するための図である。図４において、２０１で示すＮチャンネルは現在受信中のチャンネルを示す。Ｎチャンネル２０１の中には、論理チャンネルが３つ（図４中、００７番〜００９番）含まれている。ユーザが操作部２１のシークボタンを押してシークアップを選択すると、シーク制御部３３はＮ＋１チャンネルから順にチューナ１２で受信可能か否かを調べる。図４では、Ｎ＋１チャンネルが受信できずＮ＋２が選局されたところを示している。また、シークボタンを押してシークダウンを選択した場合には、Ｎ−１チャンネルから順にチューナ１２で受信可能か否かを調べる。図４では、Ｎ−１チャンネルが選局され、もう一度シークボタンを押してシークダウンが実行された結果、Ｎ−２チャンネルが選局されたところを示している。
【００２４】
図２に戻り、リスト作成部３１は、シーク制御部３３での選局結果に応じて、リスト作成部３１が作成したサービスリストを更新する。例えば、リスト更新部３４は、シーク制御部３３での選局結果と一時記憶部３２に格納されているサービスリストとを比較し、シーク制御部３３で選局したチャンネルがサービスリストに存在しないと判断した場合に、シーク制御部３３が選局したチャンネルをサービスリストに追加する。シーク制御部３３で選局したチャンネルがサービスリストに存在した場合には、リスト更新部３４はサービスリストを更新しない。
【００２５】
また、リスト更新部３４は、シーク制御部３３での選局結果と一時記憶部３２に格納されているサービスリストとを比較し、シーク制御部３３にて選局できなかったチャンネルがサービスリスト上にあると判断した場合には、選局できなかったチャンネルをサービスリストから削除する。
【００２６】
図５は、サービスリストの更新例を説明するための図である。図５において、（ａ）はある地点Ａで受信できるチャンネルを示しており、Ｎチャンネル、Ｎ＋２チャンネル、Ｎ＋３チャンネルが受信できることを示している。また、Ｎ−１チャンネル、Ｎ＋１チャンネル、Ｎ＋４チャンネルは受信できないことを示している。例えば、ユーザがこの地点Ａにてチャンネルスキャンを指示すると、リスト作成部３１がサービスリストを作成する。この結果、一時記憶部３２にはＮチャンネル、Ｎ＋２チャンネル、Ｎ＋３チャンネルが含まれるサービスリストが格納される。
【００２７】
図５（ｂ）は、地点Ａから移動した別の地点Ｂで受信できるチャンネルを示している。この地点Ｂでは、Ｎ−１チャンネル、Ｎチャンネル、Ｎ＋１チャンネル、Ｎ＋２チャンネル、Ｎ＋４チャンネルが受信できることを示している。また、Ｎ＋３チャンネルは受信できないことを示している。
【００２８】
ここで、現在受信中のチャンネルがＮチャンネルである場合に、ユーザがチャンネルを変えようとして操作部２１のシークボタンを押下し、シークアップを指示したとする。そうすると、シーク制御部３３は受信可能なＮ＋１チャンネルを選局し受信する。このとき、リスト更新部３４は、地点Ａで作成され一時記憶部３２に格納されているサービスリストと、シーク制御部３３が選局したＮ＋１チャンネルとを比較する。そうすると、図５に示すように、Ｎ＋１チャンネルはサービスリストに存在しないので、リスト更新部３４はサービスリストにＮ＋１チャンネルを追加する。
【００２９】
また、ユーザがシークボタンを押下してシークアップを指示すると、シーク制御部３３は受信可能なＮ＋２チャンネルを選局し受信する。このとき、リスト更新部３４は、一時記憶部３２に格納されているサービスリストとシーク制御部３３が選局したＮ＋２チャンネルとを比較する。図５に示すように、Ｎ＋２チャンネルはサービスリストに含まれているので、リスト更新部３４はサービスリストの更新を行わない。
【００３０】
さらに、ユーザがシークボタンを押下してシークアップをもう一度指示すると、シーク制御部３３は受信可能なＮ＋４チャンネルを選局し受信する。このとき、先に受信していたＮ＋２チャンネルに対してシーク制御部３３が選局したＮ＋４チャンネルは隣接チャンネルではないので、リスト更新部３４は、Ｎ＋２チャンネルとＮ＋４チャンネルとの間に選局できなかったＮ＋３チャンネルが存在することを認識する。この場合リスト更新部３４は、一時記憶部３２に格納されているサービスリストとＮ＋３チャンネルとを比較する。サービスリストにＮ＋３チャンネルが存在していた場合には、現在の地点ＢではＮ＋３チャンネルを受信できないため、リスト更新部３４はＮ＋３チャンネルをサービスリストから削除する。
【００３１】
さらに、リスト更新部３４は、一時記憶部３２に格納されているサービスリストとシーク制御部３３が選局したＮ＋４チャンネルとを比較する。図５に示すように、Ｎ＋４チャンネルはサービスリストに含まれていないので、リスト更新部３４はサービスリストへＮ＋４チャンネルを追加する。
【００３２】
次に、第１の実施形態の放送受信機１０の動作について説明する。図６は、第１の実施形態の放送受信機１０の動作例を示すフローチャートである。図６において、シーク制御部３３は操作部２１のシークボタンが押下されたか否か判断する（ステップＳ１）。ここで、シークボタンが押下されていないと判断した場合にはステップＳ１に戻り処理を繰り返す。
【００３３】
一方、シークボタンが押下されたと判断した場合には、シーク制御部３３は受信可能なチャンネルの選局を行い、自動で受信する（ステップＳ２）。このときリスト更新部３４は、先に受信していたチャンネルとシーク制御部３３が選局したチャンネルとの間に、選局できなかったチャンネルがあるか否か判断する（ステップＳ３）。ここで、選局できなかったチャンネルが存在しないと判断した場合、リスト更新部３４はシーク制御部３３の選局したチャンネルがサービスリストに存在するか否か判断する（ステップＳ４）。
【００３４】
ここで、シーク制御部２３の選局したチャンネルがサービスリストに存在しないと判断した場合、リスト更新部３４はそのチャンネルをサービスリストに追加する（ステップＳ５）。一方、ステップＳ４で、シーク制御部３３の選局したチャンネルがサービスリストに存在すると判断した場合、リスト更新部３４はサービスリストを更新しない。
【００３５】
一方、ステップＳ３で、選局できなかったチャンネルが存在すると判断した場合、リスト更新部３４は、その選局できなかったチャンネルがサービスリストに存在するか否か判断する（ステップＳ６）。ここで、選局できなかったチャンネルがサービスリストに存在した場合、リスト更新部３４はサービスリストからそのチャンネルを削除し（ステップＳ７）、ステップＳ４に移行する。一方、ステップＳ６で、選局できなかったチャンネルがサービスリストにも存在しないと判断した場合には、リスト更新部３４はサービスリストを更新せずに、ステップＳ４に移行する。
【００３６】
以上、詳しく説明したように、第１の実施形態では、リスト作成部３１が作成したサービスリストをシーク制御部３３の選局結果に応じてリスト更新部３４が更新するようにしたので、エリア毎にサービスリストを複数持つ必要がなく、大きなメモリ容量を必要としない。そのため、放送受信機１０の製造コストを抑えることができる。また、チャンネルを変更したいというユーザの意思でシークの実行を行ったときにサービスリストが更新されるようになるため、ユーザが視聴中の番組が自身の意思と関係なく中断させられてしまうことがなくなり、ユーザに不快感を与えることなくサービスリストの更新を行うことが可能となる。
【００３７】
また、リスト更新部３４は、シーク制御部３３が選局したチャンネルがサービスリスト上に無い場合、そのチャンネルをサービスリストに追加するようにしたので、先のエリアでサービスリストに表示されなかったチャンネルも、チャンネルスキャンを再度行うことなくサービスリストに表示することができるようになる。
【００３８】
さらに、リスト更新部３４は、シーク制御部３３が選局できなかったチャンネルがサービスリスト上にある場合、そのチャンネルをサービスリストから削除するようにしたので、チャンネルスキャンを再度行うことなく、実際には受信できなくなっているチャンネルを削除した状態でサービスリストを表示することができるようになる。
【００３９】
なお、リスト更新部３４がサービスリストを更新することにより変更となったチャンネルの表示態様を、他のチャンネルの表示態様と異ならせて表示するようにしてもよい。この場合、リスト更新部３４は、変更となったチャンネルを識別可能なようにしてサービスリストを一時記憶部３２に格納しておき、表示制御部１９が一時記憶部３２からサービスリストを読み込んで画面上に表示する際に、変更となったチャンネルの表示態様を他のチャンネルと異ならせて表示すればよい。表示態様の異ならせ方としては、例えば、他のチャンネルと色を変えて表示したり、色を薄くしたりして表示する。このようにすることで、サービスリスト上のどのチャンネルが変更されたのか視覚的に捉えやすくなる。
【００４０】
（第２の実施形態）
次に、本発明の第２の実施形態を図面に基づいて説明する。第２の実施形態に係る放送受信機１０の構成は、図１に示したブロック図と同様であるので、同一の符号を用いて説明する。図７は、コントローラ３０が有する機能構成例を示すブロック図である。図７に示すように、第２の実施形態のコントローラ３０は、その機能構成として、リスト作成部３１、一時記憶部３２、シーク制御部３３、リスト更新部３４およびリモコン制御部３５を備えている。なお、図２と同一の機能を有する部位については、同一の符号を付して説明する。
【００４１】
第２の実施形態では、操作部２１がリモートコントローラ（リモコン）である場合について説明する。リモコンにはユーザが放送受信機１０に対して各種の操作を行うためのリモコンキー（例えば、スキャンボタン、シークボタン、サービスリストから所望のチャンネルの選局を行うためのボタン、受信チャンネルが割り当てられる数字キー等）を備えている。
【００４２】
図７において、リモコン制御部３５は受信可能なチャンネルを数字キーに割り当てる。通常、チャンネルスキャンによりリスト作成部３１がサービスリストを作成する際に、リモコン制御部３５は数字キーにチャンネルの割り当てを行う。各チャンネルの放送信号には、放送事業者が望む数字キー番号（リモートコントロールＩＤ）が付加されており、リモコン制御部３５はリモートコントロールＩＤを用いて、各チャンネルをリモコンの数字キーに割り当てる。
【００４３】
また、リモコン制御部３５は操作部２１が受け付けた操作指示を受け取り、その指示をシーク制御部３３またはリスト作成部３１に受け渡す。例えば、操作部２１のシークボタンが押下された場合には、リモコン制御部３５はシークの実行をシーク制御部３３に指示し、スキャンボタンが押下された場合にはリモコン制御部３５はリスト作成部３１にチャンネルスキャンの実行を指示する。
【００４４】
また、リモコン制御部３５は、リスト更新部３４にてサービスリストが更新されるとき、更新するチャンネルが有するリモートコントロールＩＤに従ってリモコンの数字キーに対する割り当てを変更する。例えば、サービスリストの更新により新たに受信可能となったチャンネルをリモコンの数字キーに割り当てる。
【００４５】
例えば、図５に示すように、現在受信中のチャンネルがＮチャンネルであるときに操作部２１のシークボタンを押下してシークアップを指示した場合、地点Ａでは受信できなかったＮ＋１チャンネルが地点Ｂでは受信可能となっている。このとき、リスト更新部３４はサービスリストの更新を行うが、この際、新たに受信可能となったＮ＋１チャンネルをリモコン制御部３５がリモコンの数字キーに割り当てる。
【００４６】
以上、詳しく説明したように、第２の実施形態では、シークの実行によってリスト更新部３４によりサービスリストの更新が行われると、リモコン制御部３５が、その更新に合わせてリモコンの数字キーに対するチャンネルの割り当てを変更するので、再度のチャンネルスキャンを行うことなく短時間でリスト更新部３４により追加されたチャンネルがリモコンの数字キーにも割り当てられるようになる。また、サービスリスト上にある受信可能なチャンネルがリモコンの数字キーでは選択することができないという不都合を回避することができる。
【００４７】
（第３の実施形態）
次に、本発明の第３の実施形態を図面に基づいて説明する。第３の実施形態に係る放送受信機１０の構成は、図１に示したブロック図と同様であるので、同一の符号を用いて説明する。図８は、コントローラ３０が有する機能構成例を示すブロック図である。図８に示すように、第３の実施形態のコントローラ３０は、その機能構成として、リスト作成部３１、一時記憶部３２、シーク制御部３３、リスト更新部３４および受信感度判断部３６を備えている。なお、同一の機能を有する部位については、同一の符号を付して説明する。
【００４８】
受信感度判断部３６は、表示部２０に表示されたサービスリストや操作部２１のリモコンの数字キーからユーザにより所定のチャンネルが選択されたとき、選択されたチャンネルの受信感度（例えば、受信Ｃ／Ｎ（キャリア対ノイズ）やＢＥＲ値等）が所定レベル以下であるか否かを判断する。例えば、受信感度判断部３６はあらかじめ設定された受信感度の基準値を持ち、サービスリストから選択されたチャンネルをチューナ１２で受信しようとしたときに、その受信感度が基準値以下である場合には、所定レベル以下であると判断する。受信感度判断部３６は受信感度が所定レベル以下であると判断した場合には、シークの実行をシーク制御部３３へ指示する。
【００４９】
第３の実施形態のシーク制御部３３は、操作部２１のシークボタンが押下されたときの他、受信感度判断部３６からの指示に従ってシークの動作を実行する。
【００５０】
次に、第３の実施形態の放送受信機１０の動作について説明する。図９は、第３の実施形態の放送受信機１０の動作例を示すフローチャートである。図９において、コントローラ３０は操作部２１によりサービスリストからチャンネルが選択されたか否か判断する（ステップＳ２１）。ここで、サービスリストからチャンネルが選択されたと判断できない場合には、図６のステップＳ１の処理に進む。なお、このステップＳ１においてシークボタンが押下されていないと判断された場合（ステップＳ１でＮＯの場合）の戻り先はステップＳ２１とする。
【００５１】
一方、サービスリストからチャンネルが選択されたと判断した場合には、コントローラ３０は、チューナ１２に対してユーザにより選択されたチャンネルを受信するように指示する。このとき、受信感度判断部３６は、チューナ１２で受信しようとするチャンネルの受信感度が所定レベル以下であるか否か判断する（ステップＳ２２）。ここで、受信しようとするチャンネルの受信感度が所定レベルに達していると判断された場合には、シーク動作は実行せず、そのチャンネルの受信を行う。
【００５２】
一方、受信しようとするチャンネルの受信感度が所定レベル以下であると受信感度判断部３６が判断した場合には、受信感度判定部３６は、シーク制御部３３にシークの実行を行うよう指示する（ステップＳ２３）。これにより、シーク制御部３３はシークを実行し、図６のステップＳ３に移行する。そして、リスト更新部３４が必要に応じてサービスリストの更新を行う。
【００５３】
以上、詳しく説明したように、第３の実施形態ではサービスリスト等から所望のチャンネルが選択された場合、選択されたチャンネルの受信感度が所定レベル以下であると受信感度判断部３６により判断されたときに、シーク制御部３３がシークを自動的に実行するようにしたので、受信可能なチャンネルを自動的に受信することができるようになる。
【００５４】
また、サービスリスト等からチャンネルが選局されたとき、受信感度が低いと受信感度判断部３６により判断されると、シーク制御部３３がシークを実行し、その結果に応じてリスト更新部３４がサービスリストの更新を自動的に行う。このため、ユーザがチャンネルを変更したいと思いシークボタンを押した場合だけでなく、サービスリストでチャンネルの変更をしようとした場合でも、受信感度が低く番組が受信できない場合にはサービスリストが更新されるようになる。これにより、わざわざシークボタンを押さなくても、言い換えると、受信環境が変わっていることをユーザが特に意識しなくても、ユーザに不快感を与えることなくサービスリストの更新を行うことが可能となる。
【００５５】
なお、操作部２１として、スキャンボタンおよびシークボタンの他に、プリセットボタンを備えるようにしてもよい。この場合には、押下されたプリセットボタンに割り当てられたチャンネルの受信感度が所定レベル以下であるか否かを受信感度判断部３６が判断し、所定レベル以下であると判断した場合にシーク制御部３３にてシークを実行すればよい。
【００５６】
また、この際、シークの実行により１のチャンネルが選局されリストが更新されるときに、プリセットボタンへのチャンネルの割り当てを変更するようにしてもよい。また、サービスリストから所定のチャンネルが選択されシークの実行によりサービスリストの更新が行われたときにも、プリセットボタンへのチャンネルの割り当てを変更するようにしてもよい。
【００５７】
（第４の実施形態）
次に、本発明の第４の実施形態を図面に基づいて説明する。第４の実施形態に係る放送受信機１０の構成は、図１に示したブロック図と同様であるので、同一の符号を用いて説明する。図１０は、コントローラ３０が有する機能構成例を示すブロック図である。図１０に示すように、第４の実施形態のコントローラ３０は、その機能構成として、リスト作成部３１、一時記憶部３２、シーク制御部３３、リスト更新部３４、受信感度判断部３６および報知部３７を備えている。なお、図２および図８と同一の機能を有する部位については、同一の符号を付して説明する。
【００５８】
図１０において、報知部３７は、サービスリストや操作部２１のリモコンの数字キーから選択されたチャンネルの受信感度が所定レベル以下であると受信感度判定部３６により判断された場合に、シーク制御部３３によるシークの実行を勧める案内を報知する。例えば、報知部３７は、「チャンネルの受信感度が所定レベル以下のため、受信できません。シークの実行をお勧めします。」等の文言を記した報知画面を表示部２０に表示するよう表示制御部１９に指示する。表示制御部１９が表示部２０に報知画面を表示し、それを見たユーザが操作部２１のシークボタンを押下することで、シーク制御部３３はシークを実行する。そして、リスト更新部３４はシーク制御部３３での選局結果をもとにサービスリストの更新を必要に応じて行う。
【００５９】
以上、詳しく説明したように、第４の実施形態ではサービスリスト等から所望のチャンネルがユーザにより選択されたとき、その選択されたチャンネルの受信感度が所定レベル以下であると受信感度判断部３６により判断されると、報知部３７がシークの実行を勧める報知画面を表示するよう制御するので、選択されたチャンネルが受信できなくなったことをユーザは視覚的に捕らえることができるようになる。また、シークを実行すれば受信可能なチャンネルを選局でき、また、サービスリストも更新されることをユーザに対して喚起することができるようになる。
【００６０】
なお、報知部３７は、シークの実行を音声により報知するようにしてもよい。この場合には、スピーカ１６からシークの実行を勧める案内を報知するよう音声処理部１４に報知部３７が指示するようにすればよい。これにより、ユーザに対して視覚だけでなく音声でもシークの実行を喚起することができるようになる。
【００６１】
また、第３の実施形態で説明したように、操作部２１としてスキャンボタンおよびシークボタンの他にプリセットボタンを備えた場合、受信感度判断部３６によりプリセットボタンに割り当てられたチャンネルの受信感度が所定レベル以下であると判断されたときに、報知部３７がシークの実行を勧める案内を報知するようにしてもよい。
【００６２】
（第５の実施形態）
次に、本発明の第５の実施形態を図面に基づいて説明する。図１１は、第５の実施形態による放送受信機４０の構成例を示す図である。図１１に示すように、第５の実施形態に係る放送受信機４０は、第１の実施形態の放送受信機１０の構成に加えて、インタフェース部４１（以下、Ｉ／Ｆ４１と記す。）および受信エリア記憶部４２を備えて構成される。なお、図１と同一の機能を有する部位については、同一の符号を付して説明する。
【００６３】
図１１において、Ｉ／Ｆ４１は、ナビゲーション装置４３（本発明の車両位置検出部を備える）との間でバス４４を介してデータの送受信を行う。例えば、Ｉ／Ｆ４１は、ナビゲーション装置４３からバス４４を通して送られてくる車両の位置情報を取得する。ナビゲーション装置４３は、自立航法センサやＧＰＳ受信機などを用いて車両の現在位置を検出する機能を有する。
【００６４】
受信エリア記憶部４２は、地図データに設定した複数の受信エリアの情報を受信エリアテーブルとして格納する。受信エリアテーブルは、受信可能なチャンネルが同じであるエリアを１つの受信エリアとし、その受信エリアが地図データ上のどの位置に該当するのかを対応させたテーブルである。
【００６５】
図１２は、コントローラ３０が有する機能構成例を示すブロック図である。図１２に示すように、第５の実施形態のコントローラ３０は、その機能構成として、リスト作成部３１、一時記憶部３２、シーク制御部３３、リスト更新部３４、報知部３７およびエリア判断部３８を備えている。なお、図２および図１０と同一の機能を有する部位については、同一の符号を付して説明する。
【００６６】
図１２において、エリア判断部３８は、Ｉ／Ｆ４１を介してナビゲーション装置４３より送られてくる車両位置情報と受信エリア記憶部４２に格納されている受信エリアテーブルとに基づいて、ある受信エリアから他の受信エリアへ移動したか否かを判断する。例えば、受信エリアに関する情報として、その受信エリアの境界線が地図上のどの位置に該当するかを表した情報を受信エリア記憶部４２に記憶しておく。これにより、エリア判断部３８は、ナビゲーション装置４３により検出された車両位置の軌跡が境界線を超えたか否かで、車両が他の受信エリアに移動したことを判断することができる。また、各受信エリアを位置情報付のポリゴンデータとして受信エリア記憶部４２に記憶しておき、ナビゲーション装置４３により検出される車両位置が、あるポリゴン内から他のポリゴン内へ移動したか否かをエリア判断部３８で判断するようにしてもよい。
【００６７】
第５の実施形態の報知部３７は、エリア判断部３８により他の受信エリアへ車両位置が移動したと判断された場合に、シーク制御部３３によるシークの実行を勧める案内を報知する。報知の方法としては、例えば、第４の実施形態と同様に、表示部２０に報知画面を表示させたり、スピーカ１６から音声により報知させたりする。その後、報知部３７の報知により、ユーザが操作部２１のシークボタンを押してシークを実行すると、リスト更新部３４がサービスリストの更新を必要に応じて行う。
【００６８】
以上、詳しく説明したように、第５の実施形態では、受信エリア記憶部４２に格納されている受信エリアテーブルとナビゲーション装置４３により検出された車両位置とによって車両が他の受信エリアへ移動したか否かを判断し、他の受信エリアへ移動したとエリア判断部３８により判断されたときに、報知部３７がシークの実行を勧める案内を報知するようにした。このため、ユーザは受信可能なチャンネルが変わったことを選局操作してみるまでもなく知ることができ、自身の好みに応じてシークを実行し、サービスリストの更新を行うことができる。
【００６９】
なお、上記第１の実施形態から第５の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【００７０】
例えば、シーク制御部３３での選局結果とサービスリストとを比較し、新たに選局可能または新たに選局不可能になったチャンネルがあるか否かをリスト更新部３４にて判断する。そして、シーク制御部３３は、新たに選局可能または新たに選局不可能になったチャンネルがあるとリスト更新部３４により判断されるまで、選局可能なチャンネルの選局を自動的に繰り返すようにしてもよい。このようにすれば、サービスリストにおいて少なくとも１つのチャンネルが必ず更新されることになる。
【図面の簡単な説明】
【００７１】
【図１】第１の実施形態による放送受信機の構成例を示す図である。
【図２】第１の実施形態のコントローラが有する機能構成例を示すブロック図である。
【図３】サービスリストの表示画面例を示す図である。
【図４】シーク機能の動作例を説明するための図である。
【図５】サービスリストの更新例を説明するための図である。
【図６】第１の実施形態の放送受信機の動作例を示すフローチャートである。
【図７】第２の実施形態のコントローラが有する機能構成例を示すブロック図である。
【図８】第３の実施形態のコントローラが有する機能構成例を示すブロック図である。
【図９】第３の実施形態の放送受信機の動作例を示すフローチャートである。
【図１０】第４の実施形態のコントローラが有する機能構成例を示すブロック図である。
【図１１】第５の実施形態による放送受信機の構成例を示す図である。
【図１２】第５の実施形態のコントローラが有する機能構成例を示すブロック図である。
【符号の説明】
【００７２】
１０，４０  放送受信機
１２  チューナ
１９  表示制御部
２１  操作部
３０  コントローラ
３１  リスト作成部
３２  一時記憶部
３３  シーク制御部
３４  リスト更新部
３５  リモコン制御部
３６  受信感度判断部
３７  報知部
３８  エリア判断部
４１  Ｉ／Ｆ
４２  受信エリア記憶部
４３  ナビゲーション装置
【図１】
2008099028.tif 000003
【図２】
2008099028.tif 000004
【図３】
2008099028.tif 000005
【図４】
2008099028.tif 000006
【図５】
2008099028.tif 000007
【図６】
2008099028.tif 000008
【図７】
2008099028.tif 000009
【図８】
2008099028.tif 000010
【図９】
2008099028.tif 000011
【図１０】
2008099028.tif 000012
【図１１】
2008099028.tif 000013
【図１２】
2008099028.tif 000014